(57)【要約】【課題】ウェブサイトが提供する機能、利用者がウェブサイトを利用する際にウェブページの表示方法を任意に変更できる閲覧補助機能、の双方を同時に提供する。【解決手段】ウェブサーバ上にある情報を取得してディスプレイ装置に表示するウェブサイト閲覧装置であって、ネットワーク接続ユニットと、ディスプレイユニットと、特定のウェブサイトが提供する機能を実現するウェブサイト提供機能実現ユニットと、入力信号処理ユニットと、利用者が前記ウェブサイト提供機能実現ユニットにより提供される機能を利用する際に、当該ウェブページの表示方法を、その利用者の必要又は好みに応じて任意に変更する閲覧補助機能実現ユニット。ここにおいて、各ユニットは、コンピュータのＣＰＵ（中央処理装置）が、ハードディスクなどの記憶装置に記憶されたソフトウェアを必要に応じて読み込んで、その命令を実行することにより実現される。【選択図】図８
0003135581.tif 000002
【実用新案登録請求の範囲】
【請求項１】
インターネットに接続されたウェブサーバ上にある情報を取得してディスプレイ装置に表示するウェブサイト閲覧装置であって、
前記ウェブサーバからの情報を取得するネットワーク接続ユニットと、
該ネットワーク接続ユニットにより取得したウェブサーバからの情報にしたがってウェブページの情報を表示するディスプレイユニットと、
前記ネットワーク接続ユニットが取得した特定のウェブサイトが提供する機能を実現するウェブサイト提供機能実現ユニットと、
キーボード又はマウスを用いて操作者が入力する信号を処理する入力信号処理ユニットと、
利用者が前記ウェブサイト提供機能実現ユニットにより提供される機能を利用する際に、当該ウェブページの表示方法を、その利用者の必要又は好みに応じて前記入力信号処理ユニットを用いて任意に変更する閲覧補助機能実現ユニット
とを有するウェブサイト閲覧装置。
【請求項２】
請求項１に記載したウェブサイト閲覧装置であって、
さらに、特定のウェブサイトへのリンクを実行するウェブサイトリンクユニットを有し、
利用者が該ウェブサイトリンクユニットを用いて当該ウェブサイトを利用する際に、前記閲覧補助機能実現ユニットを用いて、当該ウェブページの表示方法を、その利用者の必要又は好みに応じて任意に変更するウェブサイト閲覧装置。
【請求項３】
請求項１又は２のいずれかに記載したウェブサイト閲覧装置であって、
該ウェブサイト閲覧装置は、汎用コンピュータのウェブブラウザに追加してインストールして用いるアドインプログラムを働かせることによって実現され、
該アドインプログラムをインストールする際に既に前記ウェブブラウザにインストールされているアドインプログラムがあるかどうかを検知するインストール済みアドインプログラム検知ユニットと、
該アドインプログラム検知手段が、既にインストールされているアドインプログラムがあると検知したときに、その既にインストールされているアドインプログラムのフレームワーク内に格納してインストールするインストールユニットと
を有するウェブサイト閲覧装置。
【請求項４】
請求項３に記載したウェブサイト閲覧装置であって、
前記インストールユニットは、
フレームワーク内のドロップダウンメニュー、ボタン、あるいはタブなどに後から追加したアドインプログラムを表示することを特徴とするウェブサイト閲覧装置。
【請求項５】
請求項３又は４のいずれかに記載したウェブサイト閲覧装置であって、
複数のアドインプログラムがインストールされた後に、表示するアドインプログラムを入れ替える表示切り替えユニットを
さらに有することを特徴とするウェブサイト閲覧装置。
【請求項６】
請求項３、４又は５のいずれかに記載したウェブサイト閲覧装置であって、
該アドインプログラムをインストールしたユーザのアドインプログラム利用状況をアクセスログとして記録するアクセスログ記録ユニットをさらに有し、そのユーザがアドインプログラムのどの機能を利用したのかをログとして記録することを特徴とするウェブサイト閲覧装置。
【考案の詳細な説明】
【技術分野】
【０００１】
本考案は、ウェブページ表示機能を有するコンピュータソフトウェア（以下、ウェブブラウザと呼ぶ）に追加してインストールして用いるツールバーを利用したウェブサイト閲覧装置に関する。
【背景技術】
【０００２】
従来の一般的なウェブサイト閲覧装置は、インターネットエクスプローラ（マイクロソフト社の商標）、ファイヤーフォックス（モジラグループの商標）、モジラ（モジラ社の商標）、ネットスケープ（ネットスケープ社の商標）、オペラ（オペラ社の商標）、サファリ（アップル社の商標）などのウェブブラウザと呼ばれるコンピュータプログラムを汎用コンピュータ（パソコン）にインストールしてなる。
これらのウェブブラウザは、機能拡張ソフトウェア（アドインソフト、アドオンソフトなどと呼ばれることがあるもの）としてツールバーを利用者が後からインストールすることで、表示画面にツールバーを追加表示することができる。
また、これらのウェブブラウザは、そのツールバー機能により、表示画面に複数のツールバーを表示することができる。ここで、ツールバーとは、ユーザーインターフェースのひとつであって、頻繁に利用する機能をアイコン化したボタンを並べたメニューの一種である。通常は、ウェブブラウザのメニューが画面の一番上に設けられ、その真下にツールバーが表示される。
【０００３】
このツールバー表示としては、テキストフィールドによるテキスト入力部分、ドロップダウンメニュー、ボタン、タブなどの形状をした操作部などがあり、これらが帯状に複数並んで表示される。
【０００４】
そして、ツールバーの帯状の画面内に、登録された各アプリケーションプログラムの起動ボタン、登録されたウェブサイトへのリンクボタン、条件の選択・指定のボタン、任意のテキストを入力するテキストフィールドなどが配列して表示され、これらのボタン等をマウスあるいはキーボードなどで操作すると、それらのボタンに対応して登録されたプログラムあるいはアクションが実行される。
【０００５】
そして、こういったツールバー表示は、ウェブブラウザの表示画面を有効に活用して、利用者のウェブサイト閲覧に便利な機能を提供する手段として利用されている。
特許文献１には、ツールバーをカスタマイズした状態を他の人に配布する技術について開示されている。
特許文献２には、リンク元、仮リンク元の概念を用いて、簡便なウェブ閲覧を実現する技術について開示されている。
特許文献３には、プロキシサーバを介してウェブページをカスタマイズする技術について開示されている。
非特許文献１には、高齢者又は障害者などに配慮した情報通信のあり方が示されており、それを契機として中央官庁、地方自治体、教育機関及び民間企業のウェブサイトにおいて、アクセシビリティの確保が進められている。ここに、アクセシビリティとは、ウェブサイトを高齢者や障害者などのユーザを含むすべてのユーザが利用できること、又はその度合いを指す。
ツールバーは、アイコンでメニューを表示させるので、初心者にわかりやすいというメリットがある反面、アイコンが上手に整理されていないと煩雑になるというデメリットを有する。この改善策として、特許文献４には、ツールバーのボタンサイズを変更する技術、ツールバーの表示位置をウィンドウの隅に変更する技術が開示されている。また、特許文献５には、使用頻度の順にボタンを再配置する技術が開示されている。
【特許文献１】特開２００５−０１８１６５号公報
【特許文献２】特開２００４−２９５６６０号公報
【特許文献３】特開２０００−２２２３２４号公報
【特許文献４】特開平１０−９１３８４号公報
【特許文献５】特開平１１−５３１５５号公報
【非特許文献１】「ＪＩＳ  Ｘ  ８３４１−３  高齢者障害者等配慮設計指針  情報通信における  第３部ウェブコンテンツ」  ２００４年６月制定
【考案の開示】
【考案が解決しようとする課題】
【０００６】
ウェブサイトの利用者は、ウェブブラウザを用いてウェブサイトにアクセスして、そのサイトのウェブページをウェブブラウザの画面に表示させているが、その表示方法は、そのウェブブラウザの機能を用いて、利用者が自分の好みに合わせ、又は必要に応じて変更することができる。多くのウェブブラウザでは、その表示の変更方法がメニューや設定画面にて提供されているが、利用者にはそれがわかりづらいという問題がある。
また、ウェブブラウザでは提供されていない機能が必要な場合には、別途ソフトウェアを購入するなど利用者が経済的な負担を強いられる場面もある。
一方で、非特許文献１に示されるＪＩＳ  Ｘ  ８３４１−３を踏まえて、ウェブサイトのアクセシビリティの確保及び維持、向上につとめるサイト運営者側は、その取り組み姿勢をアピールしたいと考えている。また、同時にアクセシビリティに対応したことでサイト訪問者数を増加させたいという狙いもある。
また、前記従来のツールバー表示においては、次に説明するように、インストールするツールバー数が多くなって表示するツールバーの数が増加すると、ウェブブラウザの画面におけるツールバー表示の占有面積がその数の分だけ広くなり、ウェブページの表示領域が狭くなるため、利用者の作業効率を低下させる問題がある。
利用者がウェブブラウザでのウェブページの表示面積を確保するためには、不要なツールバーをウェブブラウザの機能を用いて非表示にするしかなく、非表示にしたツールバーの機能を利用したいときには、そのツールバーをウェブブラウザの機能を用いて再度表示させるなど、利用者の利用効率を低下させる問題点もある。
さらに、従来のツールバーでは、インストールしたユーザが実際にどれだけ利用しているのかまで把握できなかった。
本考案の考案者は、これらの事情を踏まえて、ウェブブラウザに後から追加してインストールするツールバーに、ウェブサイト提供機能と利用者の閲覧補助機能とを併せて提供することにより、これらの問題が解決するものと考えた。
本考案が解決しようとする課題は、単一のツールバーにおいて、ウェブサイトが提供する機能あるいはウェブサイトへのリンク、利用者がウェブサイトを利用する際にウェブページの表示方法を任意に変更できる閲覧補助機能、の双方を同時に提供することである。
また、本考案は、多数のツールバーを、ウェブブラウザ表示画面での占有面積を広げることなく、必要なメニュー（あるいはモード）を随時選択することで新規なツールバー表示を提供することを課題とし、その際の操作性の向上を図り、効果測定をも行うことを課題とする。
【課題を解決するための手段】
【０００７】
本考案に係る  ウェブサイト閲覧装置は、インターネットに接続されたウェブサーバ上にある情報を取得してディスプレイ装置に表示するウェブサイト閲覧装置であって、前記ウェブサーバからの情報を取得するネットワーク接続ユニットと、該ネットワーク接続ユニットにより取得したウェブサーバからの情報にしたがってウェブページの情報を表示するディスプレイユニットと、前記ネットワーク接続ユニットが取得した特定のウェブサイトが提供する機能を実現するウェブサイト提供機能実現ユニットと、キーボード又はマウスを用いて操作者が入力する信号を処理する入力信号処理ユニットと、利用者が前記ウェブサイト提供機能実現ユニットにより提供される機能を利用する際に、当該ウェブページの表示方法を、その利用者の必要又は好みに応じて前記入力信号処理ユニットを用いて任意に変更する閲覧補助機能実現ユニットとを有するウェブサイト閲覧装置である。
【０００８】
請求項２に記載したウェブサイト閲覧装置は、請求項１に記載したウェブサイト閲覧装置であって、さらに、特定のウェブサイトへのリンクを実行するウェブサイトリンクユニットを有し、利用者が該ウェブサイトリンクユニットを用いて当該ウェブサイトを利用する際に、前記閲覧補助機能実現ユニットを用いて、当該ウェブページの表示方法を、その利用者の必要又は好みに応じて任意に変更するウェブサイト閲覧装置ある。
また、請求項３に記載したウェブサイト閲覧装置は、請求項１又は２のいずれかに記載したウェブサイト閲覧装置であって、該ウェブサイト閲覧装置は、汎用コンピュータのウェブブラウザに追加してインストールして用いるアドインプログラムを働かせることによって実現され、該アドインプログラムをインストールする際に既に前記ウェブブラウザにインストールされているアドインプログラムがあるかどうかを検知するインストール済みアドインプログラム検知ユニットと、該アドインプログラム検知手段が、既にインストールされているアドインプログラムがあると検知したときに、その既にインストールされているアドインプログラムのフレームワーク内に格納してインストールするインストールユニットとを有するウェブサイト閲覧装置である。
請求４に記載したウェブサイト閲覧装置は、請求項３に記載したウェブサイト閲覧装置であって、前記インストールユニットは、フレームワーク内のドロップダウンメニュー、ボタン、あるいはタブなどに後から追加したアドインプログラムを表示することを特徴とするウェブサイト閲覧装置である。
請求項５に記載したウェブサイト閲覧装置は、請求項３又は４のいずれかに記載したウェブサイト閲覧装置であって、複数のアドインプログラムがインストールされた後に、表示するアドインプログラムを入れ替える表示切り替えユニットをさらに有することを特徴とするウェブサイト閲覧装置である。
請求項６に記載したツールバー装置は、請求項３、４又は５のいずれかに記載したウェブサイト閲覧装置であって、該アドインプログラムをインストールしたユーザのアドインプログラム利用状況をアクセスログとして記録するアクセスログ記録ユニットをさらに有し、そのユーザがアドインプログラムのどの機能を利用したのかをログとして記録することを特徴とするウェブサイト閲覧装置である。
【考案の効果】
【０００９】
本考案は、以下に記載する効果を奏する。
利用者がこのアドインプログラムをインストールすることで、ウェブブラウザ画面の表示方法を自分の好みの設定に自由に変更することが可能となり、特に高齢者など視力の低下している利用者、および視覚に何らかの障害のある利用者の利便性を向上させることができる。
また、常にウェブブラウザの画面の中で前述の表示変更を行うボタンあるいはメニューが表示されているため、利用者は直感的にその変更を行うことが可能となる。
さらに、利用者がウェブブラウザに多数のアドインプログラムをインストールしても、ウェブブラウザにおけるツールバーの占有面積は常に一定に保たれ、ウェブページを表示する領域の面積が確保される。また、インストールした多数のアドインプログラムの中から、任意のものを表示させたいときには、ツールバー上で提供される表示切替機能を用いて切り替えることが可能となり、利用者の作業効率を向上させる。
また、ツールバーの提供者（特定のウェブサイト運営者が、そのサイトの宣伝のために、この種のツールバーを提供する提供者となることがある。）も利用者にツールバーの新たな機能を追加提供したいときに、新規なメニュー（あるいはモード）として提供することが可能となり、利用者のウェブブラウザ利用の利便性を損なうことなく随時新たな機能を追加提供することができる。
さらに、また、アクセスログ記録手段を設けることにより、ツールバー提供者が、効果測定をすることができる。
【考案を実施するための最良の形態】
【００１０】
以下、図面を参照しつつ、本考案を実施するための最良の形態について説明する。図８は、ウェブサイト閲覧装置のユニット構成を示すブロック図である。（図９はウェブサイト装置の他の実施例におけるユニット構成を示すブロック図である。ウェブサイトリンクユニット１６が追加されている点のみが異なり、あとは図８の構成と同様である。）ウェブサイト閲覧装置１０は、コンピュータのＣＰＵ（中央処理装置）が、ハードディスクなどの記憶装置に記憶されたソフトウェアを必要に応じて読み込んで、その命令を実行することにより実現される装置であり（図１０参照）、ウェブサイト提供機能実現ユニット１５、閲覧補助機能実現ユニット１４、ウェブサイトリンクユニット１６などの各ユニットもまた、ＣＰＵが、必要なコンピュータプログラムを読み込んで処理を実現することにより実現されるユニットである。ウェブサイト閲覧装置１０は、インターネット接続機器５０を経て得たウェブサイトの情報を、マウス３０、キーボード４０から入力される操作者の入力に従い、ディスプレイ装置２０に出力する。
【００１１】
利用者がウェブブラウザにインストールするツールバーの帯状に並んでいるメニュー部分を二つに分割して、一方をサイト運営者が提供するメニュー、他方を利用者がウェブページを閲覧する際に表示方法を変更できる閲覧補助機能のメニューとする。
サイト運営者が提供するメニューは、そのウェブサイトの機能の一部を提供したり、ウェブサイト内の任意に指定したウェブページへのリンクを提供したりする。
ウェブサイトの機能の一部としては、たとえば、ウェブサイトで提供している何らかの検索機能が挙げられる。ツールバー上でキーワードを入力できるテキストフィールド及び検索実行ボタンを提供することで、利用者はその検索エンジンのウェブサイトに移動しなくても、任意のキーワード入力によりそのウェブサイトの検索機能をダイレクトに利用することができる。
ウェブサイト内の任意に指定したウェブページへのリンクは、そのウェブサイト運営者が特に利用者の訪問を促したいウェブページへのＵＲＬを指定することで提供できる。リンクは、ツールバー上にてボタンあるいはドロップダウンメニューなどの形状で提供されるため、利用者はウェブブラウザを起動していればいつでも好きなときにそれらのリンクを利用することができるので、これは利用者にとっても利便性の高い機能である。
【００１２】
利用者がウェブページを閲覧する際に表示方法を変更できる閲覧補助機能としては、以下に挙げるような機能を提供する。
【００１３】
（１）文字サイズの変更：多くのウェブブラウザに基本機能として実装されている機能で、ウェブページのテキストの文字サイズを段階的に大きくしたり小さくしたりする。しかし、この機能はウェブブラウザのメニューや設定の画面などで提供されていることが多く、利用者はその都度メニューや設定画面などを開いて文字サイズの変更を行わなければならず、画面上にその機能が表示されていないため、中にはその機能の存在すら知らない利用者もいる。
【００１４】
（２）画面の拡大・縮小：ウェブブラウザのウェブページ表示領域を一定の比率で拡大あるいは縮小することができる機能である。これは、ウェブブラウザでは提供されていないため、主に弱視（ロービジョン）のユーザは、従来有償の画面拡大ソフトウェアを別途購入するなどの経済的負担を強いられてきた。前述の文字サイズ変更機能と異なり、ウェブページ上の画像ファイルも同時に拡大あるいは縮小することが可能である。
【００１５】
（３）背景色・文字色の変更：ウェブページの背景色および文字色を任意の色に変更できる機能である。この機能を提供しているウェブブラウザはあるが、設定画面を開いて色の変更を行わなければならず、利用者はその都度設定画面などを開いて背景色および／あるいは文字色の変更を行わなければならず、画面上にその機能が表示されていないため、中にはその機能の存在すら知らない利用者もいる。主に、弱視など視力の極端に低い利用者は、背景色を暗い色、文字色を明るい色に変更したほうが文字が読みやすい。
【００１６】
（４）行間の変更：ウェブページのテキストによる文章の行間を任意の間隔に広げることのできる機能である。この機能を提供しているウェブブラウザは今のところなく、特に何行にもわたる長文のテキストを読む際には行間が空いていたほうが読みやすい。利用者はこの機能により読みやすい任意の行間を指定することができる。前述した文字サイズの変更との連動によりこの機能を利用することもできる。
【００１７】
（５）ページ情報：ウェブページにあるリンクの総数、画像ファイルの総数などの情報をそのウェブページの冒頭に挿入する機能である。この機能を提供しているウェブブラウザは今のところない。これは音声読み上げソフトを利用している全盲や弱視のユーザに有用であり、その数値の大小により、そのウェブページの情報量の多寡を推測することが可能となる。
【００１８】
（６）画像非表示：ウェブページにある画像ファイルを非表示にして、その代わりに画像ファイルに提供されている代替テキスト情報を画面上に表示する機能である。代替テキスト情報とは、画像ファイルが伝えている情報を簡潔に記述したテキストでウェブページのソースコードに記述される。これによりナローバンド回線やＰＨＳなどで接続している利用者は画像を読み込む間の待ち時間を回避することができ、ウェブページの閲覧効率を向上させることが可能となる。
（７）ＲＳＳリーダ機能：ツールバー装置の提供者であるウェブサイトの更新情報をＲＳＳ形式で配信する機能である。ＲＳＳとは、ウェブサイトの見出しや要約などをメタデータで構造化して記述するもので、ＸＭＬベースのフォーマットで主としてウェブサイトの更新情報を公開するのに使われている。この機能により、ウェブサイト運営者は随時更新情報を利用者に配信できる。したがって、サイトへの集客ツールとしても活用することが可能となる。
【００１９】
これらの表示方法は、利用者が一度設定すれば、次にその設定を変更するまでは保持される。
また、複数の表示変更機能を同時に用いることができるので、たとえば、文字サイズを大きくして、かつ背景色と文字色を変更する、行間も大きく空ける、といった利用も可能である。
【００２０】
図１は、ツールバーの実例を示す図である。図１に示される全体は、ウェブブラウザの画面であり、その最上部には、ウェブブラウザのメニューが表示される。そして、その下にはＵＲＬの表示欄があり、その真下に、通常ツールバーが設けられる。図１で、太い破線で囲んだ部分がツールバーの部分である。
【００２１】
図７は、ツールバーのゾーン分けの実施例を示す図である。この実施例では、表示切替を行う操作部分（Ｂ）、サイト機能の提供部分（Ｃ）、利用者の閲覧補助機能の提供部分（Ｄ）との三つに分けられている。表示切替を行う操作部分（Ｂ）は、ドロップダウンメニュー形式、タブ形式、ボタン形式などのいずれかからなる操作部分であって、ツールバー内の限られた表示面積を有効に用いるために用いられる。サイト機能の提供部分（Ｃ）は、検索エンジンの利用、リンクページへのジャンプ、などの機能を提供する部分である。閲覧保持機能の提供部分（Ｄ）は、上述した文字サイズの変更、背景色、文字色、行間などの変更を行う部分である。
【００２２】
本考案の前提として、インターネットに接続されたコンピュータがあり、そのコンピュータには、インターネットのページを閲覧するためのウェブブラウザがインストールされていることが前提となる。そして、本考案において、問題とするツールバーは、最初からウェブブラウザに組み込まれているツールバーのことではなく、ユーザが必要に応じて後からインストールするツールバーのことをいう。本考案においては、利用者がツールバーをインストールした際に、ツールバーのインストール・プログラムが利用者のウェブブラウザに既にツールバーがインストールされていないかどうかを検知して、インストールされている場合には、既存のツールバーに追加する形で重複するツールバーのフレームワークおよび基本機能などを除いた部分のみのインストールを行う。追加されたツールバー特有の機能は新規なメニュー（あるいはモード）として格納され、既存のツールバーに切り替え可能なメニュー（あるいはモード）として新規に追加登録される。
【００２３】
利用者は、既存のツールバーにある表示切替機能を用いて、新規に追加インストールしたツールバーに表示を切り替えることができる。この表示切替機能は、ツールバー上でドロップダウンメニュー、ボタン、タブなどの形状により提供される。
本考案のツールバー表示方法においては、利用者がツールバーの表示切替機能を用いて、任意のメニュー（あるいはモード）を選択することにより、ツールバーの表示の全部あるいは一部を切り替えることを可能とし、ウェブブラウザにおけるツールバー部分の占有面積を常に一定に保つ。
利用者が任意のメニュー（あるいはモード）を選択する方法としては、ツールバー上に提供されたメニュー（あるいはモード）を選択するためのドロップダウンメニュー、ボタン、あるいはタブをマウス等で操作し、任意のメニュー（あるいはモード）を選択する。これにより、ツールバー部分の表示は、選択されたメニュー（あるいはモード）に登録されたテキストフィールドによるテキスト入力部分、ドロップダウンメニュー、ボタン、タブなどの形状をした操作部に切り替わる。
【００２４】
ツールバー装置を提供する提供者は、ユーザがインストールする個々のツールバー自体に固有のＩＤを割り当てた上で、ユーザに配布する。そして、そのツールバー装置をインストールしたユーザが、そのツールバーを用いて、ウェブサイトのサーバにアクセスしてそのサイトを利用するたびに、そのＩＤをアクセスログに記録することで、ユーザがどれだけ利用しているかをログから分析することが可能となる。この場合、ツールバー装置をインストールしたブラウザを利用している限りは、ブラウザ画面内でリンクをクリックしても、すべてアクセスログとして記録することも可能である。
ツールバー装置を提供するウェブサイトのサーバに、このＩＤを付加したアクセスログを蓄積していき、定期的にアクセスログを分析することで、ツールバー装置の利用状況及びツールバー装置を利用しているユーザのサイト利用状況を把握することができる。この意味で、アクセスログ記録手段は、ユーザのパソコン側のツールバー装置の機能とウェブサイトのサーバ側の機能とが協働して実現する機能であるが、本発明においてアクセスログ記録手段と呼ぶのは、ユーザのパソコン側に組み込まれるツールバー装置の機能に着眼したものを指している。
【実施例１】
【００２５】
ツールバーが複数インストールされたときにツールバーの表示のために要する占有面積が大きくなり、ウェブブラウザの作業領域（ウェブページの表示領域）が狭くなることを説明する図である。図２において、太い破線で囲んだ部分は、複数（ここでは４個）のツールバーの表示のために要する占有面積を示している。
【００２６】
図３は、ツールバーのフレームワークの概念を示す図である。ツールバーのフレームワークというときは、ユーザの目に見える表示から言えば図３に示す太い破線の枠内の領域を指しており、より機能的に見ればそのツールバーの機能を指している。この発明により複数のツールバーをインストールする場合には、ユーザの目に見える表示から言えば、このフレームワーク内に、全てのツールバーの機能を収納することを実現するのであり、機能的に見れば、このフレームワーク内のボタンなどの操作により、複数のツールバーの機能を使えるように切り替えて用いることを実現するものである。
【００２７】
図４は、ツールバーのゾーン分け、すなわち、表示切替を行う操作部分、表示切替可能な部分、基本機能（共通部分）の三つのゾーンに分けて用いることを説明する図である。表示切替を行う操作部分は、図４では、ボタン一個で示してあるが、一個のボタンを押すたびに別のツールバーに順次切り替わるとする一個のボタンとする実施例のほかに、図５に示すようなドロップダウンメニュー形式（下向き三角ボタンを押すと複数のツールバーを表示してそのうちの一つを選択可能とするやり方）、タブ形式（複数のツールバーに対応するタブをクリックすることで、対応するツールが表示されることとするやり方）、ボタン形式（複数のボタンが用意されてそのうちの一個をクリックすることで複数のツールバーの一つを選択できることとするやり方）が可能である。図５は、ツールバーの表示切替を実行するための操作部分に関する三つの実施例を示す図である。
【００２８】
図４の表示切替可能な部分（Ａ）は、表示切替により選ばれたツールに関するテキスト入力部分、ボタンなどによる操作部であり、当該選択したツールを実行するのに直接用いる部分である。そして、その残りの部分は、基本機能（共通部分）であって、複数のツールバーに共通に用いられる部分である。表示切替可能な部分をそのツールごとに切り替えることと、基本機能の部分を共通で表示することにより、複数のツールバーをインストールしても、占有面積を大きくしないで済むことになる。
【００２９】
図６は、本発明に係るツールバー装置のインストール方法を示すフローチャートである。このツールバーをインストールする際に、インストールプログラムが判断をした上で、インストールの仕方を選択する。すなわち、フレームワークを既にインストール済みかどうかを判断し、ＹＥＳならば、固有のメニュー部分のみをインストールする。ＮＯならばフレームワーク部分と固有のメニュー部分をあわせてインストールする。
【産業上の利用可能性】
【００３０】
サイト運営者は、このツールバーをウェブサイトから配布することで、自らのウェブサイトのみならず、その他すべてのウェブサイトを閲覧する上での利用者の利便性を向上することができる。同時にアクセシビリティに取り組むウェブサイトとしての姿勢をアピールすることが可能である。それと同時に、自らのウェブサイトで提供している機能および任意のウェブページへのリンクを提供することで、利用者のサイト訪問や利用を促進することができる。これにより、ウェブサイトへのアクセシビリティに配慮する姿勢のアピールとウェブサイトの集客プロモーションとを両立させることが可能となる。
ウェブブラウザに組み込まれるツールバーは、検索エンジンを簡単に起動するためのものが、さかんに用いられている。それらのツールバーは、基本的な機能は同じでありながら、提供する主体（広告主など）がちがうために、それぞれおまけで附属する機能が異なる場合がある。利用者の立場からすると、附属する機能の違いのために、複数のツールバーをインストールすることを所望する。しかし、基本的な機能（フレームワーク）が同じである複数のツールバーのそのすべてをインストールするのは、無駄である。そこで、この発明が利用される。すなわち、違う広告主から提供される基本機能の同じツールバーを利用者が、躊躇なくインストールできるようになるから、ツールバーの提供により、広告効果を高めようとする広告主体の販売促進効果が期待できる。ツールバー装置を提供するウェブサイトのサーバに、個々のツールバーＩＤを付加したアクセスログを蓄積していき、定期的にアクセスログを分析することで、ツールバー装置を利用しているユーザのサイト利用状況を把握することが可能となり、費用対効果を測定するために、このアクセスログの記録を活用することができる。
【図面の簡単な説明】
【００３１】
【図１】ツールバーの実例を示す図である。
【図２】ツールバーが複数インストールされたときにツールバーの表示のために要する占有面積が大きくなり、ウェブブラウザの作業領域（ウェブページの表示領域）が狭くなることを説明する図である。
【図３】ツールバーのフレームワークの概念を示す図である。
【図４】ツールバーのゾーン分け、すなわち、表示切替を行う操作部分、表示切替可能な部分、基本機能（共通部分）の三つのゾーンに分けて用いることを説明する図である。
【図５】ツールバーの表示切替を実行するための操作部分に関する三つの実施例を示す図である。
【図６】本考案に係るツールバー装置のインストール方法を示すフローチャートである。
【図７】ツールバーのゾーン分けの他の実施例を示す図である。
【図８】ウェブサイト閲覧装置のユニット構成を示すブロック図である。
【図９】ウェブサイト閲覧装置の他の実施例におけるユニット構成を示すブロック図である。
【図１０】ウェブサイト閲覧装置のハードウェア構成を示すブロック図である。
【符号の説明】
【００３２】
１０  ウェブサイト閲覧装置
１１  ネットワーク接続ユニット
１２  ディスプレイユニット
１３  入力信号処理ユニット
１４  閲覧補助機能実現ユニット
１５  ウェブサイト提供機能実現ユニット
１６  ウェブサイトリンクユニット
２０  ディスプレイ装置
３０  マウス
４０  キーボード
５０  インターネット接続機器
（Ａ）  表示切替可能な部分
（Ｂ）  表示切替を行う操作部分
（Ｃ）  サイト機能の提供部分
（Ｄ）  利用者の閲覧補助機能の提供部分
【図１】
0003135581.tif 000003
【図２】
0003135581.tif 000004
【図３】
0003135581.tif 000005
【図４】
0003135581.tif 000006
【図５】
0003135581.tif 000007
【図６】
0003135581.tif 000008
【図７】
0003135581.tif 000009
【図８】
0003135581.tif 000010
【図９】
0003135581.tif 000011
【図１０】
0003135581.tif 000012